(57)【要約】【課題】帯状体が特定箇所で早期に破断しにくい画像形成装置を提供する。【解決手段】装置本体４の開口を左右方向から挟む枠部材８を設け、開口を開閉自在な蓋体５を、枠部材に近接して揺動方向に重なっている閉じ位置と枠部材から離間している開き位置とに亘って横軸芯Ｘ周りで揺動自在に支持するとともに、揺動方向で互いに対向する蓋体部分１１と枠部材とを可撓性を備えた帯状体９で連結し、蓋体を閉じ位置に揺動させた状態で蓋体部分と枠部材との間で弛ませてある帯状体を、蓋体を開き位置に揺動させた状態で緊張させて、その蓋体を開き姿勢に保持可能に構成してある画像形成装置であって、蓋体を閉じ位置に揺動させた状態で蓋体部分と枠部材との間で弛ませてある帯状体を折り曲げずに収容可能な収容空間１２を、蓋体部分又は枠部材に形成してある。【選択図】図３
2007206201.tif 000002
【特許請求の範囲】
【請求項１】
装置本体の開口を左右方向から挟む枠部材を設け、
前記開口を開閉自在な蓋体を、前記枠部材に近接して揺動方向に重なっている閉じ位置と前記枠部材から離間している開き位置とに亘って横軸芯周りで揺動自在に支持するとともに、
揺動方向で互いに対向する蓋体部分と前記枠部材とを可撓性を備えた帯状体で連結し、
前記蓋体を前記閉じ位置に揺動させた状態で前記蓋体部分と前記枠部材との間で弛ませてある前記帯状体を、前記蓋体を前記開き位置に揺動させた状態で緊張させて、その蓋体を開き姿勢に保持可能に構成してある画像形成装置であって、
前記蓋体を前記閉じ位置に揺動させた状態で前記蓋体部分と前記枠部材との間で弛ませてある前記帯状体を折り曲げずに収容可能な収容空間を、前記蓋体部分又は前記枠部材に形成してある画像形成装置。
【請求項２】
前記蓋体を前記開き位置から前記閉じ位置に揺動させるに伴って、前記帯状体を捩れないように弛ませる案内部を設けてある請求項１記載の画像形成装置。
【発明の詳細な説明】
【技術分野】
【０００１】
本発明は、装置本体の開口を左右方向から挟む枠部材を設け、前記開口を開閉自在な蓋体を、前記枠部材に近接して揺動方向に重なっている閉じ位置と前記枠部材から離間している開き位置とに亘って横軸芯周りで揺動自在に支持するとともに、揺動方向で互いに対向する蓋体部分と前記枠部材とを可撓性を備えた帯状体で連結し、前記蓋体を前記閉じ位置に揺動させた状態で前記蓋体部分と前記枠部材との間で弛ませてある前記帯状体を、前記蓋体を前記開き位置に揺動させた状態で緊張させて、その蓋体を開き姿勢に保持可能に構成してある画像形成装置に関する。
【背景技術】
【０００２】
上記画像形成装置は、揺動方向で互いに対向する蓋体部分と枠部材とを連結している可撓性を備えた帯状体を、蓋体を閉じ位置に揺動させた状態では蓋体部分と枠部材との間で弛ませておき、蓋体を開き位置に揺動させた状態で緊張させて、その蓋体を開き姿勢に保持可能に構成してあるので、蓋体の揺動範囲をその蓋体との接当で規制する規制部材を装置本体側に特に設けておくことなく、蓋体を開き姿勢に簡便に保持できる利点がある。
従来の上記画像形成装置では、蓋体を閉じ位置に揺動させた時に、蓋体部分と枠部材との間の帯状体を、蓋体部分と枠部材による押圧で折り曲げた状態で弛ませてある（慣用技術であり、先行技術文献情報を開示できない）。
【発明の開示】
【発明が解決しようとする課題】
【０００３】
このため、蓋体を閉じ位置に揺動させる都度、帯状体が特定箇所で折り曲げられ、その結果、帯状体の特定箇所に折り癖が付いて、その特定箇所の強度が低下し易く、蓋体を開き位置に揺動させた状態で緊張させたようなときに、強度が低下した特定箇所で帯状体が早期に破断し易くなる欠点がある。
本発明は上記実情に鑑みてなされたものであって、帯状体が特定箇所で早期に破断しにくい画像形成装置を提供することを目的とする。
【課題を解決するための手段】
【０００４】
本発明の第１特徴構成は、装置本体の開口を左右方向から挟む枠部材を設け、前記開口を開閉自在な蓋体を、前記枠部材に近接して揺動方向に重なっている閉じ位置と前記枠部材から離間している開き位置とに亘って横軸芯周りで揺動自在に支持するとともに、揺動方向で互いに対向する蓋体部分と前記枠部材とを可撓性を備えた帯状体で連結し、前記蓋体を前記閉じ位置に揺動させた状態で前記蓋体部分と前記枠部材との間で弛ませてある前記帯状体を、前記蓋体を前記開き位置に揺動させた状態で緊張させて、その蓋体を開き姿勢に保持可能に構成してある画像形成装置であって、前記蓋体を前記閉じ位置に揺動させた状態で前記蓋体部分と前記枠部材との間で弛ませてある前記帯状体を折り曲げずに収容可能な収容空間を、前記蓋体部分又は前記枠部材に形成してある点にある。
【０００５】
〔作用及び効果〕
蓋体を枠部材に近接して揺動方向に重なっている閉じ位置に揺動させた状態で、蓋体部分と枠部材との間で弛ませてある帯状体を折り曲げずに収容可能な収容空間を、蓋体部分又は枠部材に形成してあるので、蓋体を閉じ位置に揺動させても、弛ませてある帯状体が収容空間に入り込んで、特定箇所で折り曲げられるおそれが少なくなり、その結果、帯状体の特定箇所での強度が低下する事態を防止することができ、帯状体が特定箇所で早期に破断しにくい。
【０００６】
本発明の第２特徴構成は、前記蓋体を前記開き位置から前記閉じ位置に揺動させるに伴って、前記帯状体を捩れないように弛ませる案内部を設けてある点にある。
【０００７】
〔作用及び効果〕
蓋体を開き位置から閉じ位置に揺動させるに伴って、帯状体を捩れないように弛ませる案内部を設けてあるので、帯状体を帯幅方向に歪まないようにコンパクトに弛ませることができ、狭い収容空間でも、帯状体を確実に収容し易い。
【発明を実施するための最良の形態】
【０００８】
以下に本発明の実施の形態を図面に基づいて説明する。
〔第１実施形態〕
図１，図２は、給紙トレイ１から給紙された記録紙にカラー画像を形成するために、複数の画像形成ユニット２を設けてあるカラープリンタなどの本発明による電子写真式画像形成装置の要部を示し、各画像形成ユニット２の端部を臨ませるメンテナンス用開口３を装置本体４に形成してあるとともに、この開口３を開閉自在な樹脂製蓋体５を筐体６に支持してある。
【０００９】
前記蓋体５は、その下端の左右両側に揺動アーム７を固定するとともに、それらの揺動アーム７を横軸芯Ｘ周りで回動自在に筐体６に支持して、開口３を横軸芯Ｘ周りで揺動開閉自在に支持してあり、開口幅方向に沿って幅広の一対の枠部材８を、開口３を左右方向から挟む両側に設けて、図３に示すように、蓋体５の左右両側が各枠部材８に近接して揺動方向に重なっている閉じ位置と、図４，図５に示すように、蓋体５の左右両側が各枠部材８から離間している開き位置とに亘って横軸芯Ｘ周りで揺動開閉自在に蓋体５を支持し、蓋体５を開き姿勢に保持可能な帯状体（ストラップ）９を設けてある。
【００１０】
前記揺動アーム７の夫々は、筐体６に横軸芯Ｘ周りで揺動自在に支持される基端アーム部分７ａと、基端アーム部分７ａの遊端側に対して略直角に連結されている中間アーム部分７ｂと、中間アーム部分７ｂの遊端側に対して斜めに連結されている傾斜アーム部分７ｃとを一連に備えた略コの字状に形成してあり、蓋体５に対する固定部１０を傾斜アーム部分７ｃの遊端側に一体に設けてある。
【００１１】
そして、図３に示すように、傾斜アーム部分７ｃが蓋体５側の斜め上方に向けて突出し、かつ、中間アーム部分７ｂが上下方向に沿うように揺動アーム７を揺動させた状態で、図外の解除自在なロック装置によって、蓋体５を閉じ位置に保持できるように構成してある。
【００１２】
前記帯状体９は可撓性を備えた材料で形成してあり、揺動方向で互いに対向する左右の蓋体部分１１と枠部材８とをこの帯状体９で連結して、図３に示すように、蓋体５を閉じ位置に揺動させた状態で蓋体部分１１と枠部材８との間で自然に弛ませておき、その弛ませてある帯状体９を、図４，図５に示すように、蓋体５を開き位置に揺動させた状態で緊張させて、蓋体５を開き姿勢に保持可能に構成してある。
【００１３】
前記帯状体９は、帯幅方向が全長に亘って揺動軸芯Ｘ方向に沿い、かつ、長手方向が揺動軸芯Ｘに対して直交する姿勢で、一端側を固定部１０を介して蓋体部分１１に連結するとともに、他端側を枠部材８に連結してあり、蓋体５を閉じ位置に揺動させた状態で、蓋体部分１１と枠部材８との間で弛ませてある帯状体９を強制的に折り曲げることなく収容可能な収容空間１２を形成してある。
【００１４】
前記収容空間１２は、蓋体部分１１に向けて開口する凹部を各枠部材８に設けて形成してあり、蓋体５を開き位置から閉じ位置に揺動させるに伴って、帯状体９を捩れないように弛ませる案内部１３を、蓋体５を閉じ位置に揺動させた状態で収容空間１２に入り込むように左右の蓋体部分１１に設けてある。
【００１５】
前記案内部１３は、図６に示すように、傾斜アーム部分７ｃ及び中間アーム部分７ｂにおける枠部材８側に臨んでいる部分１４の左右両側に沿って、突条１５を帯状体９の帯幅よりも若干広い間隔で一体に形成して溝状に構成してあり、帯状体９の一端側を、帯状体９が左右の突条１５間に向けて揺動軸芯Ｘに直交する方向に延出されるように固定部１０にビス止めするとともに、帯状体９の他端側を、固定部１０にビス止めされている一端側と同じ揺動軸芯Ｘ方向の位置から蓋体部分１１側に向けて延出されるように収容空間１２の内側上部に固定して、蓋体５を開き位置から閉じ位置に揺動させるに伴って、帯状体９の蓋体側部分を全幅に亘って自重で左右の突条１５間に入り込ませることにより、帯状体９の姿勢を帯幅方向が揺動軸芯Ｘ方向に沿う姿勢に拘束して、その帯状体９の捩れを防止できるように構成してある。
【００１６】
〔その他の実施形態〕
１．本発明による画像形成装置は、蓋体を閉じ位置に揺動させた状態で蓋体部分と枠部材との間で弛ませてある帯状体を折り曲げずに収容可能な収容空間を、蓋体部分に形成してあっても、蓋体部分と枠部材とに亘って形成してあっても良い。
２．本発明による画像形成装置は、装置本体の開口を左右方向から挟む枠部材のうちの一方の枠部材のみを帯状体で蓋体部分に連結してあっても良い。
３．本発明による画像形成装置は、複写機やファックスであっても良い。
【図面の簡単な説明】
【００１７】
【図１】要部の斜視図
【図２】要部の斜視図
【図３】要部の一部断面側面図
【図４】要部の一部断面側面図
【図５】要部の正面図
【図６】要部の斜視図
【符号の説明】
【００１８】
３  開口
４  装置本体
５  蓋体
８  枠部材
９  帯状体
１１  蓋体部分
１２  収容空間
１３  案内部
Ｘ  横軸芯
【図１】
2007206201.tif 000003
【図２】
2007206201.tif 000004
【図３】
2007206201.tif 000005
【図４】
2007206201.tif 000006
【図５】
2007206201.tif 000007
【図６】
2007206201.tif 000008